【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
表示情報を表示する表示手段と、
所定部分の上下を検出する検出手段と、を備えた表示装置であって、
前記検出手段が検出した結果に基づいて前記表示手段が表示する表示情報の上下が決まるように制御することを特徴とする表示装置。
【請求項２】
表示情報を表示する表示手段と、
所定部分の上下を検出する検出手段と、を備えた表示装置であって、
前記検出手段が検出した結果に基づいて前記表示手段が表示する表示情報の上下を逆転させて表示するか否かが決まるように制御することを特徴とする表示装置。
【請求項３】
表示情報を表示する表示手段と、
所定部分の上下を検出する検出手段と、を備えた表示装置であって、
前記検出手段が検出した結果に基づいて前記表示手段によって表示している表示情報の上下が逆の場合には、表示情報の上下を逆転させて表示するように制御することを特徴とする表示装置。
【請求項４】
前記表示情報の上下を逆転させるのは、上下逆転するように表示情報を記憶手段に書き込むかあるいは、上下逆転するように表示情報を記憶手段から読み出すことによって行うことを特徴とする請求項２または３のいずれかに記載の表示装置。
【請求項５】
前記検出手段は、重力の方向に基づいて自装置の所定部分の上下を検出することを特徴とする請求項１乃至４のいずれかに記載の表示装置。
【請求項６】
前記検出手段は、重力の方向に基づいて自装置の姿勢を検出し、その検出結果によって自装置の所定部分の上下を検出することを特徴とする請求項１乃至４のいずれかに記載の表示装置。
【請求項７】
前記検出手段は、ジャイロ装置の出力に基づいて自装置の所定部分の上下を検出することを特徴とする請求項１乃至４のいずれかに記載の表示装置。
【請求項８】
前記表示手段の表示画面を照明する照明手段と、
所定の時間が経過すると前記照明手段の照明の光量を減じる省エネ手段と、
テレビジョン放送の映像またはビットストリーム映像を前記表示手段に表示する場合は、前記照明手段の照明の光量を減じないように制御する制御手段と、
を備えた請求項１乃至７のいずれかに記載の表示装置。
【請求項９】
請求項１乃至８のいずれかに記載の前記表示装置の構成を備えたことを特徴とする携帯型電子機器。
【請求項１０】
請求項１乃至８のいずれかに記載の前記表示装置の構成を備えたことを特徴とする携帯電話装置。
【請求項１１】
表示情報を表示する表示手段と、
所定部分の上下を検出する検出手段と、を備えた表示装置の制御方法であって、
前記検出手段が検出した結果に基づいて前記表示手段が表示する表示情報の上下が決まるように制御することを特徴とする表示装置の制御方法。
【請求項１２】
表示情報を表示する表示手段と、
所定部分の上下を検出する検出手段と、を備えた表示装置の制御方法であって、
前記検出手段が検出した結果に基づいて前記表示手段が表示する表示情報の上下を逆転させて表示するか否かが決まるように制御することを特徴とする表示装置の制御方法。
【請求項１３】
表示情報を表示する表示手段と、
所定部分の上下を検出する検出手段と、を備えた表示装置の制御方法であって、
前記検出手段が検出した結果に基づいて前記表示手段によって表示している表示情報の上下が逆の場合には、表示情報の上下を逆転させて表示するように制御することを特徴とする表示装置の制御方法。
【請求項１４】
前記表示情報の上下を逆転させるのは、上下逆転するように表示情報を記憶手段に書き込むかあるいは、上下逆転するように表示情報を記憶手段から読み出すことによって行うことを特徴とする請求項１２または１３のいずれかに記載の表示装置の制御方法。
【請求項１５】
前記検出手段は、重力の方向に基づいて自装置の所定部分の上下を検出することを特徴とする請求項１１乃至１４のいずれかに記載の表示装置の制御方法。
【請求項１６】
前記検出手段は、重力の方向に基づいて自装置の姿勢を検出し、その検出結果によって自装置の所定部分の上下を検出することを特徴とする請求項１１乃至１４のいずれかに記載の表示装置の制御方法。
【請求項１７】
前記検出手段は、ジャイロ装置の出力に基づいて自装置の所定部分の上下を検出することを特徴とする請求項１１乃至１４のいずれかに記載の表示装置の制御方法。
【請求項１８】
前記表示手段の表示画面を照明する照明ステップと、
所定の時間が経過すると前記照明手段の照明の光量を減じる省エネステップと、
テレビジョン放送の映像またはビットストリーム映像を前記表示手段に表示する場合は、前記照明ステップの照明の光量を減じないように制御する制御ステップと、
を備えた請求項１１乃至１７のいずれかに記載の表示装置の制御方法。
【請求項１９】
請求項１１乃至１８のいずれかに記載の前記表示装置の制御方法を備えたことを特徴とする携帯型電子機器の制御方法。
【請求項２０】
請求項１１乃至１８のいずれかに記載の前記表示装置の制御方法を備えたことを特徴とする携帯電話装置の制御方法。
【手続補正２】
【補正対象書類名】明細書
【補正対象項目名】発明の名称
【補正方法】変更
【補正の内容】
【発明の名称】表示装置およびその制御方法、および、携帯型電子機器およびその制御方法、および、携帯電話装置およびその制御方法
【手続補正３】
【補正対象書類名】明細書
【補正対象項目名】０００１
【補正方法】変更
【補正の内容】
【０００１】
本発明は、表示情報を表示する表示手段と所定部分の上下を検出する検出手段とを備えた表示装置およびその制御方法、および、携帯型電子機器およびその制御方法、および、携帯電話装置およびその制御方法に関する。
【手続補正４】
【補正対象書類名】明細書
【補正対象項目名】０００６
【補正方法】変更
【補正の内容】
【０００６】
本発明は、かかる実情に鑑みてなされたものであり、自装置の所定部分の上下の検出結果に基づいて表示手段が表示する表示情報の上下が決まるように制御する表示装置およびその制御方法、および、携帯型電子機器およびその制御方法、および、携帯電話装置およびその制御方法を提供することを目的としている。
【手続補正５】
【補正対象書類名】明細書
【補正対象項目名】０００７
【補正方法】変更
【補正の内容】
【０００７】
本発明は、表示情報を表示する表示手段と、所定部分の上下を検出する検出手段と、を備えた表示装置であって、前記検出手段が検出した結果に基づいて前記表示手段が表示する表示情報の上下が決まるように制御するようにしたものである。
【手続補正６】
【補正対象書類名】明細書
【補正対象項目名】０００８
【補正方法】変更
【補正の内容】
【０００８】
また、表示情報を表示する表示手段と、所定部分の上下を検出する検出手段と、を備えた表示装置であって、前記検出手段が検出した結果に基づいて前記表示手段が表示する表示情報の上下を逆転させて表示するか否かが決まるように制御するようにしたものである。
【手続補正７】
【補正対象書類名】明細書
【補正対象項目名】０００９
【補正方法】変更
【補正の内容】
【０００９】
また、表示情報を表示する表示手段と、所定部分の上下を検出する検出手段と、を備えた表示装置であって、前記検出手段が検出した結果に基づいて前記表示手段によって表示している表示情報の上下が逆の場合には、表示情報の上下を逆転させて表示するように制御するようにしたものである。
【手続補正８】
【補正対象書類名】明細書
【補正対象項目名】００１０
【補正方法】変更
【補正の内容】
【００１０】
また、前記表示情報の上下を逆転させるのは、上下逆転するように表示情報を記憶手段に書き込むかあるいは、上下逆転するように表示情報を記憶手段から読み出すことによって行うようにしたものである。
【手続補正９】
【補正対象書類名】明細書
【補正対象項目名】００１１
【補正方法】変更
【補正の内容】
【００１１】
また、前記検出手段は、重力の方向に基づいて自装置の所定部分の上下を検出するようにしたものである。
【手続補正１０】
【補正対象書類名】明細書
【補正対象項目名】００１２
【補正方法】変更
【補正の内容】
【００１２】
また、前記検出手段は、重力の方向に基づいて自装置の姿勢を検出し、その検出結果によって自装置の所定部分の上下を検出するようにしたものである。
【手続補正１１】
【補正対象書類名】明細書
【補正対象項目名】００１３
【補正方法】変更
【補正の内容】
【００１３】
また、前記検出手段は、ジャイロ装置の出力に基づいて自装置の所定部分の上下を検出するようにしたものである。
【手続補正１２】
【補正対象書類名】明細書
【補正対象項目名】００１４
【補正方法】変更
【補正の内容】
【００１４】
また、前記表示手段の表示画面を照明する照明手段と、所定の時間が経過すると前記照明手段の照明の光量を減じる省エネ手段と、テレビジョン放送の映像またはビットストリーム映像を前記表示手段に表示する場合は、前記照明手段の照明の光量を減じないように制御する制御手段と、を備えたものである。
【手続補正１３】
【補正対象書類名】明細書
【補正対象項目名】００１５
【補正方法】変更
【補正の内容】
【００１５】
また、請求項１乃至８のいずれかに記載の前記表示装置の構成を備えたことを特徴とする携帯型電子機器である。
また、請求項１乃至８のいずれかに記載の前記表示装置の構成を備えたことを特徴とする携帯電話装置である。
【手続補正１４】
【補正対象書類名】明細書
【補正対象項目名】００１６
【補正方法】変更
【補正の内容】
【００１６】
また、表示情報を表示する表示手段と、所定部分の上下を検出する検出手段と、を備えた表示装置の制御方法であって、前記検出手段が検出した結果に基づいて前記表示手段が表示する表示情報の上下が決まるように制御するようにしたものである。
【手続補正１５】
【補正対象書類名】明細書
【補正対象項目名】００１７
【補正方法】変更
【補正の内容】
【００１７】
また、表示情報を表示する表示手段と、定部分の上下を検出する検出手段と、を備えた表示装置の制御方法であって、前記検出手段が検出した結果に基づいて前記表示手段が表示する表示情報の上下を逆転させて表示するか否かが決まるように制御するようにしたものである。
また、表示情報を表示する表示手段と、所定部分の上下を検出する検出手段と、を備えた表示装置の制御方法であって、前記検出手段が検出した結果に基づいて前記表示手段によって表示している表示情報の上下が逆の場合には、表示情報の上下を逆転させて表示するように制御するようにしたものである。
また、前記表示情報の上下を逆転させるのは、上下逆転するように表示情報を記憶手段に書き込むかあるいは、上下逆転するように表示情報を記憶手段から読み出すことによって行うようにしたものである。
また、前記検出手段は、重力の方向に基づいて自装置の所定部分の上下を検出するようにしたものである。
また、前記検出手段は、重力の方向に基づいて自装置の姿勢を検出し、その検出結果によって自装置の所定部分の上下を検出するようにしたものである。
また、前記検出手段は、ジャイロ装置の出力に基づいて自装置の所定部分の上下を検出するようにしたものである。
また、前記表示手段の表示画面を照明する照明ステップと、所定の時間が経過すると前記照明手段の照明の光量を減じる省エネステップと、テレビジョン放送の映像またはビットストリーム映像を前記表示手段に表示する場合は、前記照明ステップの照明の光量を減じないように制御する制御ステップと、を備えたものである。
また、請求項１１乃至１８のいずれかに記載の前記表示装置の制御方法を備えたことを特徴とする携帯型電子機器の制御方法である。
また、請求項１１乃至１８のいずれかに記載の前記表示装置の制御方法を備えたことを特徴とする携帯電話装置の制御方法である。
【手続補正１６】
【補正対象書類名】明細書
【補正対象項目名】００１８
【補正方法】変更
【補正の内容】
【００１８】
したがって、本発明によれば、ＴＶ放送等の映像を表示装置に表示する際に、機器の姿勢にかかわらず常に正しい向きで表示することができるという効果を得る。
【手続補正１７】
【補正対象書類名】明細書
【補正対象項目名】００１９
【補正方法】削除
【補正の内容】